(57)【要約】【課題】規格が異なるＨＤＤの変換をユーザにも簡便に可能とする。【解決手段】変換アダプタは、第一の規格の記憶媒体の外形およびコネクタ形状に合わせて第二の規格の記憶媒体を用いるための変換アダプタであって、フレームと、変換コネクタと、支持部とを備える。フレームは、第一の規格の記憶媒体を収納するためのものである。変換コネクタは、フレームに設けられて当該フレームの外側に第一の規格に沿った形状の第一接続部を有し内側に第二の規格に沿った形状の第二接続部を有する。支持部は、可撓性ないし弾性を有し、変換コネクタに接続された第二の規格の記憶媒体をフレーム内に位置させる。【選択図】図１
2014021996.tif 000002
【特許請求の範囲】
【請求項１】
第一の規格の記憶媒体の外形およびコネクタ形状に合わせて第二の規格の記憶媒体を用いるための変換アダプタであって、
前記第一の規格の記憶媒体を収納するためのフレームと、
前記フレームに設けられて当該フレームの外側に前記第一の規格に沿った形状の第一接続部を有し内側に前記第二の規格に沿った形状の第二接続部を有する変換コネクタと、
可撓性ないし弾性を有し、前記変換コネクタに接続された前記第二の規格の記憶媒体を前記フレーム内に位置させる支持部と、
を備える変換アダプタ。
【請求項２】
前記支持部は、前記フレームに立設された腕部を有し、当該腕部の先端部で前記第二の規格の記憶媒体を支える
請求項１に記載の変換アダプタ。
【請求項３】
前記腕部は、一対または複数対設けられて、対をなすそれぞれで、前記第二の規格の記憶媒体の外形をなす平面のうち当該記憶媒体が備えるコネクタの長辺方向と直交する２側面を挟み、対をなすそれぞれの間隔が前記第二の規格に対して遊び寸法を加えた値に設定されている
請求項２に記載の変換アダプタ。
【請求項４】
前記腕部は、前記先端部と根元との間に、くびれ形状を有する
請求項２または３に記載の変換アダプタ。
【請求項５】
前記腕部は、板金によって形成されている
請求項２〜４のいずれか１つに記載の変換アダプタ。
【請求項６】
前記第一の規格の記憶媒体は、３．５インチＰＡＴＡ接続ＨＤＤであって、
前記第二の規格の記憶媒体は、２．５インチＳＡＴＡ接続ＨＤＤである
請求項１〜５のいずれか１つに記載の変換アダプタ。
【発明の詳細な説明】
【技術分野】
【０００１】
本発明の実施形態は、変換アダプタに関する。
【背景技術】
【０００２】
従来、ＨＤＤ（Hard  Disk  Drive）を備えるＰＯＳ（Point  Of  Sales）端末やＥＣＲ（Electronic  Cash  Register）等の商品販売データ処理装置がある。
また、近年のＨＤＤの主流に、ＳＡＴＡ（Serial  ATA）接続のものがある。ＳＡＴＡが市場に出回るようになって、ＳＡＴＡの旧型であるＰＡＴＡ（パラレルＡＴＡ）接続のＨＤＤは生産されなくなり、入手が難しくなっている。（ＰＡＴＡとは、ＳＡＴＡとの違いを明確に表すために後付けされた呼称であって、正式な規格名はＡＴＡ（Advanced  Technology  Attachment）である。）
かつて商品販売データ処理装置にもＰＡＴＡ接続のＨＤＤが備えられてきたため、現在も、ＨＤＤとの接続がＰＡＴＡ規格に則った商品販売データ処理装置が多数使用されている。
【発明の概要】
【発明が解決しようとする課題】
【０００３】
ＨＤＤの主流が入れ替わるに伴い、ＰＡＴＡ規格に則った商品販売データ処理装置を利用中のユーザから、ＨＤＤの乗せ換えに際してＳＡＴＡ接続のＨＤＤを用いたいという声があがってきており、規格が異なるＨＤＤの変換をユーザにも簡便に可能とすることが求められている。
【課題を解決するための手段】
【０００４】
実施形態の変換アダプタは、第一の規格の記憶媒体の外形およびコネクタ形状に合わせて第二の規格の記憶媒体を用いるための変換アダプタであって、フレームと、変換コネクタと、支持部とを備える。フレームは、第一の規格の記憶媒体を収納するためのものである。変換コネクタは、フレームに設けられて当該フレームの外側に第一の規格に沿った形状の第一接続部を有し内側に第二の規格に沿った形状の第二接続部を有する。支持部は、可撓性ないし弾性を有し、変換コネクタに接続された第二の規格の記憶媒体をフレーム内に位置させる。
【図面の簡単な説明】
【０００５】
【図１】図１は、実施形態の変換アダプタの外観を示す斜視図である。
【図２】図２は、実施形態の変換アダプタとＨＤＤとの取り付け関係を示す説明図である。
【図３】図３は、実施形態の変換アダプタにＨＤＤを取り付けた状態を示す斜視図である。
【図４】図４は、実施形態の変換アダプタにＨＤＤを取り付けた状態を示す平面図である。
【図５】図５は、図４を部分的に拡大して示す平面図である。
【発明を実施するための形態】
【０００６】
図１は、実施形態の変換アダプタ１の外観を示す斜視図である。図２は、変換アダプタ１と第二の規格の記憶媒体である２．５インチＳＡＴＡ接続のＨＤＤ１００との取り付け関係を示す説明図である。図３は、変換アダプタ１にＨＤＤ１００を取り付けた状態を示す斜視図である。まず、これらの図１〜図３を用いて、実施形態の変換アダプタ１について説明する。
本実施形態の変換アダプタ１は、フレーム２と、変換コネクタ３と、支持部４とを備えている。
【０００７】
フレーム２は、板金製であって、第一の規格の記憶媒体である３．５インチＰＡＴＡ接続のＨＤＤの外形を模した形状を有しており、底板２１と、一対の側壁２２と、コネクタ保持板２３とを備えている。底板２１は、３．５インチのＨＤＤの最も広い面とほぼ同形状に形成されており、一対の側壁２２は、底板２１の外周の長辺のそれぞれに立設されて、底板２１に直交している。コネクタ保持板２３は、底板２１の短辺とほぼ同じ長さを有する矩形状の部材であって、変換コネクタ３が取り付けられており、両端を両側壁２２に固定されて底板２１及び側壁２２に直交している。
【０００８】
変換コネクタ３は、ＰＡＴＡ接続用の第一接続部３１と、ＳＡＴＡ接続用の第二接続部３２とを、背中合わせに有しており、フレーム２の外側に第一接続部３１、フレーム２の内側に第二接続部３２が位置するように、フレーム２のコネクタ保持板２３に取り付けられている。
ここで、変換コネクタ３は、フレーム２に対しての第一接続部３１の位置が、３．５インチＰＡＴＡ接続のＨＤＤにおける筐体に対してのコネクタの位置に相当するように、フレーム２に取り付けられている。
【０００９】
支持部４は、ＨＤＤ１００（図２参照）をフレーム２内に位置させるものであって、腕部４１と、ネジ４２（図２参照）とを備えている。腕部４１は、フレーム２の底板２１に複数対（本実施例では２対）立設されており、先端部４１ａをネジ４２でＨＤＤ１００に固定されることによってＨＤＤ１００を支える。
ここで、フレーム２には、底板２１と両側壁２２との長辺に沿った複数個所であってネジ４２に対応する位置に、底板２１と側壁２２とにまたがった開口２ａが設けられている。この開口２ａは、フレーム２の外側からのネジ４２への接触を可能にするとともに、フレーム２内に収納されるＨＤＤ１００の過熱防止のための通気口を兼ねている。
【００１０】
腕部４１は、フレーム２の底板２１に略コ字型に切り込みを入れて当該切り込みに囲まれた部分を加工して底板２１からフレーム２の内側へ起こして直交させた形状に形成されている。これにより、底板２１の腕部４１の立ち上がり位置には、開口２１ａが形成されている。
また、腕部４１は、根元から先を、フレーム２からの立ち上がり方向と直交する方向であって側壁２２に平行な方向へと延出させた形状とされている。
【００１１】
ここで、図４は、実施形態の変換アダプタにＨＤＤ１００を取り付けた状態を示す平面図であり、図５は、図４を部分的に拡大して示す平面図である。図４および図５に示すように、腕部４１は、対をなすそれぞれの間隔が、ＨＤＤ１００のコネクタ１０１の長辺方向に直交する両側面１０２，１０３の間隔（以下、ＨＤＤ１００の幅と称する）に遊び寸法ｘを加えた値に設定されている。さらに、腕部４１は、先端部４１ａと根元との間に、くびれ形状４１ｂを備えている。これにより、対をなす腕部４１がＨＤＤ１００を幅方向に挟んで、腕部４１の各先端部４１ａが側面１０２，１０３に固定された際、くびれ形状４１ｂの部分で腕部４１が撓むことによって、幅方向の寸法の誤差を吸収する。
【００１２】
このような構成において、腕部４１の間に位置させたＨＤＤ１００のコネクタ１０１を第二接続部３２に接続し、ＨＤＤ１００の側面１０２，１０３を腕部４１にネジ４２で固定することにより、ＨＤＤ１００が変換コネクタ３に取り付けられる。これにより、第二の規格の記憶媒体である２．５インチＳＡＴＡ接続のＨＤＤ１００が、第一の規格の記憶媒体である３．５インチＰＡＴＡ接続のＨＤＤとして使用可能となる。
【００１３】
このように、本実施形態の変換アダプタ１によれば、第一の規格の外形およびコネクタ形状に合わせて第二の規格の記憶媒体を用いることができる。
【００１４】
なお、本実施形態では、フレーム２や腕部４１を板金製としたが、実施にあたっては、他の材料によって形成されていても、支持部４が可撓制ないし弾性を有していればよい。
また、本実施形態では、ＨＤＤ１００をネジ４２で固定したが、実施にあたっては、ネジ止めでなくても、腕部４１の先端部４１ａがＨＤＤ１００に固定されていればよい。
さらに、本実施形態では、腕部４１を２対設けて４点でＨＤＤ１００を支持するようにしたが、支持可能であればよく、腕部４１の数は限定しない。２点支持でも３点支持でもよい。
【００１５】
また、本実施形態では、支持部４を腕部４１とネジ４２とで構成したが、実施にあたっては、支持部４が別の構成であっても、可撓制ないし弾性を有していればよい。
そして、本実施形態では、第一の規格の記憶媒体を３．５インチＰＡＴＡ接続のＨＤＤとしているが、実施にあたっては、第一の規格の記憶媒体は３．５インチＰＡＴＡ接続のＨＤＤに限らない。同様に、本実施形態では、第二の規格の記憶媒体を２．５インチＳＡＴＡ接続のＨＤＤとしているが、実施にあたっては、第二の規格の記憶媒体は２．５インチＳＡＴＡ接続のＨＤＤに限らない。
【００１６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００１７】
１：変換アダプタ、２：フレーム、２ａ：開口、３：変換コネクタ、４：支持部、
２１：底板、２１ａ：開口、２２：側壁、２３：コネクタ保持板、
３１：第一接続部、３２：第二接続部、
４１：腕部、４１ａ：先端部、４１ｂ：くびれ形状、４２：ネジ、
１００：ＨＤＤ、１０１：コネクタ、１０２，１０３：側面
【先行技術文献】
【特許文献】
【００１８】
【特許文献１】特開２００６−２７８１８６号公報
【図１】
2014021996.tif 000003
【図２】
2014021996.tif 000004
【図３】
2014021996.tif 000005
【図４】
2014021996.tif 000006
【図５】
2014021996.tif 000007